(57)【要約】【課題】  各自が創作的模様の形成を随時可能ならしめる観賞用花鉢を提供する。【解決手段】  透明なプラスチック製で、直径若しくは一辺を３ｃｍ〜１８ｃｍ、高さを５ｃｍ〜１０ｃｍとなした二重の円形或いは方形で内外の間隙を３ｍｍ〜１０ｍｍになした二重容器を一体成形し、上記隙間内に各種着色粉粒球体を填入させ、該容器内には切り花や観葉植物等を植えたり、これらの鉢を収容するものとなされる。このさい、二重容器は間隙の上部を閉塞し、下部側を開放したものにして粉粒球体を下部側から填入させるようになしてもよい。【選択図】      図１
0003119726.tif 000002
【実用新案登録請求の範囲】
【請求項１】
透明なプラスチック製で、直径若しくは一辺を３ｃｍ〜１８ｃｍ、高さを５ｃｍ〜１０ｃｍとなした二重の円形或いは方形で内外の間隙を３ｍｍ〜１０ｍｍになした二重容器を一体成形し、上記隙間内にカレー粉、さんしょう粉、とうがらし粉などの粉類や、小豆、大豆、あわ、きび、米、麦など穀物類やコーヒー豆などの粒体、或いは南天の果実やビーズ玉などの天然や人工の各種着色粉粒球体を填入させ、該容器内には切り花や観葉植物等を植えたり、これらの鉢を収容するものとなされることを特徴とする観賞用花鉢。
【請求項２】
二重容器は間隙の上部を閉塞し、下部側を開放したものとなされていることを特徴とする請求項１記載の観賞用花鉢。
【請求項３】
二重容器内の内底部には水抜き穴を設けてあることを特徴とする請求項１又は２記載の観賞用花鉢。
【請求項４】
二重容器の底面側に対し脚体を設けてあることを特徴とする請求項１、２又は３記載の観賞用花鉢。
【考案の詳細な説明】
【技術分野】
【０００１】
本考案は、専ら書斎のデスク上や居間などの飾り棚上へ置いて、目を楽しませ、また心を癒してくれる観賞用花鉢に関する。
【背景技術】
【０００２】
居住空間の適所に観葉植物や切り花を設けて、心身に対しやすらぎの空間を提供することが盛んに行われている。従来に於ける観葉植物や切り花などの使用は、専ら鉢植えや花瓶などを使用した大きなものであって、日常の持ち運びや手軽な移動のさいに不便を感じるものである。また、鉢物や花瓶はその容器自体の形状を、適宜簡便に取り換えてその視覚的変化が得られるようにすることは困難であった。
【０００３】
そこで、特許文献１には、専ら書斎のデスク上や居間などの飾り棚上へ簡便に置いて観賞を可能にすべく比較的小さなもので、且つ容器自体が外見上から得られる雰囲気を適宜に変えられるようになして、変化のある心療空間が容易に得られるようにしたものが示されている。
【特許文献１】実用新案登録第３１１０４２３号
【考案の開示】
【考案が解決しようとする課題】
【０００４】
しかし、特許文献１に示されたものは、外部容器と内部容器の組み合わせで形成されたものであって、容器が一体に成形されたものではなかった。
そこで、本考案は、容器が一体に成形されて扱いやすく、各自が創作的模様の形成を随時可能ならしめる観賞用花鉢を提供することを目的とするものである。
【課題を解決するための手段】
【０００５】
本考案に係る観賞用花鉢は、透明なプラスチック製で、直径若しくは一辺を３ｃｍ〜１８ｃｍ、高さを５ｃｍ〜１０ｃｍとなした二重の円形或いは方形で内外の間隙を３ｍｍ〜１０ｍｍになした二重容器を一体成形し、上記隙間内にカレー粉、さんしょう粉、とうがらし粉などの粉類や、小豆、大豆、あわ、きび、米、麦など穀物類やコーヒー豆などの粒体、或いは南天の果実やビーズ玉などの天然や人工の各種着色粉粒球体を填入させ、該容器内には切り花や観葉植物等を植えたり、これらの鉢を収容するものとなされることを特徴とする。このさい、二重容器は間隙の上部を閉塞し、下部側を開放したものにして粉粒球体を下部側から填入させるようになしてもよい。また、二重容器内の内底部に水抜き穴を設けたり、二重容器の底面側に対し脚体を設けたりする。
【考案の効果】
【０００６】
本考案品は以上の如く透明な二重容器の一体成形に構成するのであり、このさい二重容器の間隙を３ｍｍ〜１０ｍｍとなしたことは該間隙内に各種着色された粉体や粒体或いは球体などを単独、或いはこれら適宜な組合せのものを填入させるのであり、これにより適宜好みの色彩模様が顕出されるものとなり、その変更が容器を取り換えることなく自由に且つ様々に創出することが可能である。上記填入物の填入には一般的に二重容器の間隙の上方に開放口を設け、該上方から填入させるのであるが、該容器間隙の開放口を底面側に設け、その填入のさいには容器全体を逆向きにして填入させ、填入後はその開放口に封止体を取付けたものとなすのである。このようにして構成したものでは水掛けのさい填入物が掛け水で濡れたりする影響を受けるものとならないのである。
【０００７】
本考案品で填入物を上方から填入させる場合は、填入後の開放口に対しセロハンテープなどの封止体を貼着させて填入物が飛び出したりしないようにすることができるが、美感の障壁になる場合にはそのままで使用することも差し支えない。ところで、填入用の開放口を下方に設けたものでは、填入後は必ず封止体を取付ける必要があるが、容器の底面側のために外方から直接目に触れたりして美観を損なわしめたりするものとならない。本考案は随時特殊な創作模様が形成されるものになって、簡便且つ容易に体や心を和ませてくれるものである。
なお、二重容器の内底部に水抜き穴を設けたことは、容器の内部に入れた観葉植物の水はけをよくし、二重容器の内底部に脚体を設けたことは容器内の水はけを更によくするものとなる。
【考案を実施するための最良の形態】
【０００８】
以下、図面に示す実施の態様について説明する。
図１は本考案に係る観賞用花鉢の斜視図、図２は図１のＡ−Ａ線断面図であって、観賞用花鉢１は透明なプラスチック製で、一辺を３ｃｍ〜１８ｃｍで高さを５ｃｍ〜１０ｃｍとなした方形の容器であって、二重構造の側面部２と内底部３からなる二重容器である。
【０００９】
二重構造の側面部２は肉厚２ｍｍ〜３ｍｍ程度の外筒部２ａ及び内筒部２ｂからなり、その外筒部２ａと内筒部２ｂの間には３ｍｍ〜１０ｍｍ程度の間隙ｓが形成されると共に、下部２ｄは閉塞し、上部２ｃが開放されたものとなす。即ち、ここで二重容器の側面部は外筒部２ａと内筒部２ｂを閉塞した下部２ｄを介して一体に成形されてなる。而して容器の周縁に間隙ｓの環状溝が形成されるものとなるのであり、この状態で該開放口２ｃから間隙ｓに対し後述する填入物を填入させるのである。
【００１０】
なお、上記した観賞用花鉢１の内底部３の凡そ中央部には、適宜大きさ寸法の水抜き孔３ａを設けたものとなされている。
【００１１】
図３及び図４は他の実施例を示すものである。上記実施例では方形となしたものであるが、本例では円筒形となしたものであって、透明なプラスチックであること、またその大きさが直径が３ｃｍ〜１８ｃｍ、高さは５ｃｍ〜１０ｃｍとなされる円筒の二重容器であり、側面部２’の肉厚寸法が２ｍｍ〜３ｍｍ程度であること、また外筒部２’ａと内筒部２’ｂの間に３ｍｍ〜１０ｍｍ程度の間隙ｓ’が形成されることは上記例と同様である。
【００１２】
ここで、上記実施例の方形は四角形のものを示したが、５角形、６角形或いは３角形などにすることも可能であり、本考案実施の範囲内とする。
【００１３】
図５及び図６は更に他の実施例を示すものであり、本例では当初の方形となした実施例に於ける二重容器の側面部２の下部２ｄに於ける外方隅角端部に対し脚体４を設けたものである。本考案に係る二重容器の使用は専ら造花や生花などを植えた鉢を、その内底部へ収納させるようになすのであるが、上記した造花や生花などの鉢を使用しない使用も差し支えない。なお、該二重容器の下部には適宜に鉢皿などを使用するのである。
【００１４】
図７は環状溝に填入物をその開放口から填入する状態を示すものである。ここに填入物としてはカレー粉、さんしょう粉、とうがらし粉などの粉類ａや、小豆、大豆、あわ、きび、米、麦など穀物類ｂやコーヒー豆などの粒体ｃ、或いは南天の果実やビーズ玉などの天然や人工の各種着色粉粒球体ｄである。図示例では粒の大きさや色の異なるものを積層させてあるが、適宜好みにより填入物を単独のものとなしてもよい。
【００１５】
上記実施例の二重容器は間隙ｓの開放口２ｃを容器の上部側へ設けたものを示したが、図８及び図９は該上部側は閉塞し、下部側を開放した他の例を示すものである。即ちこの二重容器の間隙ｓの上部１２ｃは閉塞され、下部１２ｄは開放されたものとなされている。本考案品が透明なプラスチックであること、またその大きさが直径が３ｃｍ〜１８ｃｍ、高さは５ｃｍ〜１０ｃｍとなされること、その他側面部１２の肉厚寸法や外筒部１２ａと内筒部１２ｂの間の間隙寸法などは上記例と同様である。
【００１６】
上記例の如く、填入物を填入する開放口を二重容器の下面側へ設けたものでは、填入物を填入するさい、二重容器の内底部１３が上方となるように逆向きとなし、その開放口１２ｄから間隙ｓに対し填入物を填入させるのである。而して、その填入後は填入物が間隙内から流出しないように底面側にセロハンテープなどの封止体６を取付けるのである（図１４参照）。封止体６としてセロハンテープは最も簡便で且つ脱着自在な取扱い容易なものであるが、その他にゴムなどの弾性帯を嵌入させるようになしてもよい。
【００１７】
上記例で間隙ｓの上面部を閉塞させたものにすることは、持ち運びのさい或いは上から水掛けを行うさいに開放口から粉粒体が飛び出したり、或いは水で濡れたりすることがないようにするためであるが、当初例では上記点のトラブル防止にはその開放口に対し、セロハンテープなどの封止体を貼着させたりすることも差し支えない。但し、この封止体が美観を損なわしめるようなトラブルを解消するためには、後者例の如く構成した容器が優れるのであり、このさい封止体は底面側で隠匿されたものとなることから美観上の懸念を全く生じさせない。
【００１８】
図１５は使用状態の斜視図であって、７は観賞用花鉢１を受ける受け皿、８は鉢植えされた観葉植物、９は鉢である。
【図面の簡単な説明】
【００１９】
【図１】本考案に係る観賞用花鉢の斜視図である。
【図２】図１のＡ−Ａ線断面図である。
【図３】他の実施例を示す斜視図である。
【図４】図３のＢ−Ｂ線断面図である。
【図５】更に他の実施例を示すもので下方から見た斜視図である。
【図６】図５のＢ−Ｂ線断面図である。
【図７】環状溝に填入物を開放口から填入する状態の説明図である。
【図８】側面部の下部に開放口を設けた例の斜視図である。
【図９】図８のＤ−Ｄ線断面図である。
【図１０】側面部の下部に開放口を設けた例の他の実施例を示す斜視図である。
【図１１】図１０のＥ−Ｅ線断面図である。
【図１２】図８に示す実施例の内底部に於ける外方隅角端部に脚体を設けた場合の斜視図である。
【図１３】図１２のＦ−Ｆ線断面図である。
【図１４】図８に示す観賞用花鉢の環状溝に填入物を開放口から填入する状態の説明図である。
【図１５】使用状態の斜視図である。
【符号の説明】
【００２０】
１、１’、１”、１１、１１’、１１”    観賞用花鉢
２、２’、１２、１２’    側面部
２ａ、２’ａ、１２ａ、１２’ａ  外筒部
２ｂ、２’ｂ、１２ｂ、１２’ｂ  内筒部
２ｃ、２’ｃ、１２ｃ、１２’ｃ  上部
２ｄ、２’ｄ、１２ｄ、１２’ｄ  下部
３、３’、１３、１３’    内底部
３ａ、３’ａ、１３ａ、１３’ａ  水抜き穴
４、１４    脚体
５、１５    粉粒球体
６    封止体
７    受け皿
８    観葉植物
９    鉢
【図１】
0003119726.tif 000003
【図２】
0003119726.tif 000004
【図３】
0003119726.tif 000005
【図４】
0003119726.tif 000006
【図５】
0003119726.tif 000007
【図６】
0003119726.tif 000008
【図７】
0003119726.tif 000009
【図８】
0003119726.tif 000010
【図９】
0003119726.tif 000011
【図１０】
0003119726.tif 000012
【図１１】
0003119726.tif 000013
【図１２】
0003119726.tif 000014
【図１３】
0003119726.tif 000015
【図１４】
0003119726.tif 000016
【図１５】
0003119726.tif 000017